(57)【特許請求の範囲】
【請求項１】
スプリンクラヘッドが動作する際に動作信号を出力する接点機構付きのスプリンクラヘッドと、該接点機構に接続される信号線と、先端に前記スプリンクラヘッドが取り付けられる可撓管とを備えた消火設備であって、
前記可撓管を、該可撓管の径よりも大きい鞘管内に入れて、該鞘管と前記可撓管の間の空間内に、前記信号線を挿入して、前記可撓管に前記信号線を沿わせて配設したことを特徴とするスプリンクラ消火設備
【請求項２】
前記スプリンクラヘッドが設けられる室内の外にドアホンによって構成される戸外表示器を設置し、
前記スプリンクラヘッドの接点機構の接点が閉じ、前記信号線を介して動作信号が出力されるとき、前記戸外表示器により火災が発生したことを表示することを特徴とする請求項1記載の消火設備。
【発明の詳細な説明】
【０００１】
【発明の属する技術分野】
本発明は、スプリンクラ消火設備に関するものである。
【０００２】
【従来の技術】
従来、スプリンクラヘッドが動作する際に、動作信号を出力する接点機構付きのスプリンクラヘッドが開示されている。この接点機構付きのスプリンクラヘッドとしては、スプリンクラヘッドの近傍に水センサを設けたものがある。このスプリンクラヘッドでは、ヘッドが動作して放水すると、水センサが消火水で濡れて接点を閉じ、制御盤に信号線を介して動作信号を出力する。
【０００３】
他のタイプとして、スプリンクラヘッドの下にカバーを半田で取り付け、そのカバーに近接スイッチを設けたものがある。このスプリンクラヘッドでは、ヘッドの動作前に、カバーが落下し、そのカバーの落下に伴い近接スイッチの接点が閉じて、制御盤に信号線を介して動作信号を出力する。この場合には、カバーの落下後、数分間内にスプリンクラヘッドは動作する。このように接点機構付きのスプリンクラヘッドは、スプリンクラヘッドが動作することを事前または事後に検知して信号を出力するようにしたものである。
【０００４】
【発明が解決しようとする課題】
この接点機構付きのスプリンクラヘッドを用いたスプリンクラ消火設備では、スプリンクラ配管の施工とは別に、水センサや近接スイッチなどの接点機構に接続される信号線の敷設作業も行わねばならないので、施工作業が面倒になるという問題点があった。
【０００５】
【課題を解決するための手段】
本発明は以上の問題点を解決するためになされたもので、スプリンクラヘッドが動作する際に動作信号を出力する接点機構付きのスプリンクラヘッドと、該接点機構に接続される信号線と、先端に前記スプリンクラヘッドが取り付けられる可撓管とを備えた消火設備であって、前記可撓管を、該可撓管の径よりも大きい鞘管内に入れて、該鞘管と前記可撓管の間の空間内に、前記信号線を挿入して、前記可撓管に前記信号線を沿わせて配設したことを特徴とするものである。
【０００６】
【発明の実施の形態】
図１は本発明のスプリンクラ消火設備のシステム図、図２は接点機構付きスプリンクラヘッドの断面図、図３は信号線付き可撓管の一例を示す斜視図、図４は可撓管の断面図である。
【０００７】
図において、１はスプリンクラ消火設備の給水源で、通常のビルなどのスプリンクラ消火設備ではポンプ及び水槽からなり、住宅用のスプリンクラ消火設備では水道の本管となる。
【０００８】
２は給水源１に接続された給水配管で、その配管２の基端側には常時は閉じた開閉弁３が設けられている。給水配管２の先端には、複数の接続口４ａを有するヘッダ４が接続されている。開閉弁３の二次側には逆止弁が設けられ、その逆止弁の二次側の配管２は複数に分岐されている。
【０００９】
６はスプリンクラヘッドで、このスプリンクラヘッド６には、スプリンクラヘッド６が動作する際に、動作信号を出力する接点機構７が設けられている。図２はこの接点機構付きスプリンクラヘッド６の一例を示した図面である。図において、８は円筒状に形成された取付部材で、スプリンクラヘッド６のフランジに固定されるものである。取付部材８の下端にはフランジ８ａが形成され、このフランジ８ａに、カバー５と半田で接着された係止バネ９が係止している。
【００１０】
接点機構７はカバー５側に設けた磁石７ａと、取付部材８のフランジ８ａ上に設けたリードスイッチ７ｂとから構成されている。なお７ｃはリードスイッチ７ｂのリード線である。このスプリンクラヘッド６も、従来技術で示したカバーを有するタイプとほぼ同じように、カバー５が落下した時に、動作信号を出力する。
【００１１】
１１は例えば合成樹脂製の可撓管で、先端にはスプリンクラヘッド６が取り付けられ、他端側はヘッダ４の接続口４ａに接続されている。１３は中継器、１５は制御盤で、中継器１３とスプリンクラヘッド６の接点機構７の間は信号線１６で接続される。信号線１６は可撓管１１に取り付けられ、可撓管１１に沿わせて配設してある。なお可撓管１１内は充水または無水のどちらでもよい。
【００１２】
また中継器１３と制御盤１５の間は、単一の信号線１７で接続されている。この中継器１３はスプリンクラヘッド６の動作信号を制御盤１５に中継するものであり、制御盤１５は、スプリンクラヘッド６の動作信号を受信した時に、給水配管２に設けた開閉弁３を開放させるものである。
【００１３】
中継器１３は、天井裏のヘッダ４の近傍に設けられ、制御盤１５は、中継器１３の付近の、室内の壁面などに設置されている。なお１４は必要に応じて設けられる戸外表示器で、カバー５が落下した時に、出力される動作信号により火災が発生したことを表示するものである。この戸外表示器１４は、例えば住宅の外に設置されるドアホンや集合玄関機によって構成される。
【００１４】
次に図１を使用して、本発明のスプリンクラ消火設備のシステムの動作について説明する。まず火災が発生すると、熱気流によりスプリンクラヘッド６のカバー５が加熱され、カバー５を固定している半田が溶融する。そうするとカバー５が磁石７ａと共に落下し、接点機構７を構成するリードスイッチ７ｂ（図２参照）の接点が閉じ、信号線１６を介して中継器１３に動作信号を出力する。
【００１５】
中継器１３はその動作信号を制御盤１５に出力する。この際、戸外表示器１４は火災表示を行う、住宅内で火災が発生していることを知らせる。制御盤１５は動作信号を受信すると、開閉弁３のパイロット部に、開閉弁３を開かせる信号を出力する。その後、スプリンクラヘッド６が動作して、図示しない弁体が落下すると、スプリンクラヘッド６から消火水が放水され、火災を消火する。
【００１６】
続いて、図３、図４を用いて、可撓管１１の要部について説明する。この可撓管１１は、図に示すように外周に信号線１６が一体に設けられた信号線付き可撓管１１を使用することが好ましい。この可撓管１１は、外周に被覆された信号線１６をインサートして、可撓管１１と、信号線１６を内蔵する鞍部２０とを一体成形し、断面をほぼ達磨状に形成したものである（図４参照）。なお可撓管１１の両端部において、信号線１６は露出させてある。
【００１７】
中継器１３には、心線を差し込むだけで電線の電気的な接続と機械的な固定が行える速結端子１３ａが差し込み口を露出して設けられており、この端子１３ａの数は、例えばヘッダ４の接続口４ａの個数と同じか、又はそれよりも多い数となっている。中継器１３と信号線１６は、例えばリード線２１によって接続することが可能であり、リード線２１の一端２１ａは速結端子１３ａに接続され、他端２１ｂは信号線１６と圧着接続などによって接続される。
【００１８】
なお同様に、信号線１６とリードスイッチ７ｂのリード線７ｃとが、圧着接続などによって接続される。なお、信号線１６の結線方法は他の手段を用いてもよく、例えば可撓管１１の信号線１６の両端部に、接続端子としての速結端子などを設けてもよい。
【００１９】
このような信号線１６と可撓管１１が一体に形成された信号線付き可撓管１１を使用して、スプリンクラ消火設備を施工すれば、スプリンクラ配管としての可撓管１１の設置作業だけで、スプリンクラヘッド６からヘッダ４、つまり中継器１３までの信号線１６の敷設作業も併せて行うことが可能となる。従って施工にかかわる作業時間を短くすることができる。
【００２０】
なお、信号線付きの可撓管１１を使用せずに、例えば可撓管に予め信号線を整線用のバンドで取り付けておいてから、可撓管の設置を行っても同様の効果を得ることができる。
【００２１】
図５（ａ）〜（ｄ）は、他の実施形態にかかわる図面で、図４と同様な断面図である。図５（ａ）は、可撓管１１の射出成形時に信号線１６を含むようにしたもので、信号線１６は可撓管１１の直径上にそれぞれ位置するように設けられる。図５（ｂ）は、可撓管１１を、可撓管１１の径よりも大きい鞘管３１内に入れて、信号線１６を可撓管１１と鞘管３１の間の空間内に設けたものである。
【００２２】
図５（ｃ）は、可撓管１１の外面に、長手方向にわたって、テープ状の信号線１６ａを貼りつけたものである。この可撓管１１は断面が長方形状に形成されており、テ─プ状の信号線１６ａと使用することにより、その高さを低くすることが可能となる。このため天井面に直に可撓管１１を取り付ける場合に、美観を維持できるので有効である。なお、環状の配管にテ─プ状の信号線１６ａを取り付けてもよい。
【００２３】
図５（ｄ）は、図５（ｂ）の鞘管３１の内面に、テ─プ状の信号線１６ａ貼りつけたものであり、図５（ｂ）と同様に、鞘管３１内に可撓管１１を設けてある。これらの形態によって、可撓管１１に信号線１６、１６ａを取り付け、可撓管に信号線を沿わせて配設するようにしてもよい。
【００２４】
本実施形態においては、カバー落下方式による接点機構付きのスプリンクラヘッドを使用した場合で説明したが、接点機構付きのプリンクラヘッドはどのようなタイプのものを使用してもよい。
【００２５】
【発明の効果】
本発明では、スプリンクラ配管に信号線を取り付け、配管に信号線を沿わせて配設するようにしたので、配管工事と配線工事を同時に行うことができ、これにより、工事に伴うトラブルを無くし、工期を短縮することができる。
【００２６】
スプリンクラの配管には、合成樹脂製の可撓管を使用しているので、信号線と配管を一体化させることができ、外周に信号線が一体に設けられた信号線付き可撓管を使用することにより、スプリンクラ配管への信号線の取付作業がなくなるので、更に施工に係わる時間を短くすることができる。
【００２７】
また配管の途中にヘッダを設け、ヘッダ以降の配管は全て合成樹脂製の可撓管を使用しているので、配管の設置作業が容易となり、信号線の他端側を全てヘッダ側にもってくることができるので、その後の結線作業が行いやすくなる。
【００２８】
信号線の他端は、制御盤に接続され、制御盤は動作信号を受信した時に、配管の基端側に設けた開閉弁を開放させるように構成したので、火災感知器を必要としない予作動式のスプリンクラ消火設備を得ることができる。
【００２９】
ヘッダの近傍に、ヘッダの接続口と同じ個数の端子を備えた中継器を設け、中継器を、スプリンクラヘッドと制御盤の間に接続するようにしたので、ヘッダの設置場所において、ヘッダの接続口への可撓管の接続作業と、中継器への信号線の接続作業とをまとめて行うことができる。
【００３０】
そして中継器によりスプリンクラヘッドからの複数本からなる信号線は一括してまとめられるので、スプリンクラヘッド毎に、スプリンクラヘッドと制御盤とを信号線で接続する必要がなくなる。
【００３１】
また信号線を鞘管と可撓管の間の空間内に設けられるので、信号線を空間内へ挿入するだけで、配管への取付作業が完了ので、取付作業が容易となる。
【図面の簡単な説明】
【図１】図１は、本発明のスプリンクラ消火設備のシステム図である。
【図２】図２は、接点機構付きスプリンクラヘッドの断面図である。
【図３】図３は、信号線付き可撓管の一例を示す斜視図である。
【図４】図４は、図３のＡ−Ａ線の断面図である。
【図５】図５は他の実施形態を示す可撓管及び信号線の断面図である。
【符号の説明】
１  給水源、  ２  給水配管、  ３  開閉弁、  ４  ヘッダ、
４ａ  接続口、  ５  カバー、  ６  スプリンクラヘッド、
７  接点機構、  ７ａ  磁石、  ７ｂ  リードスイッチ、  ７ｃ  リード線、
８  取付部材、  ８ａ  フランジ、  ９  係止バネ、  １１  可撓管、
１３  中継器、  １３ａ  速結端子、  １４  戸外表示器、  １５  制御盤、
１６  信号線、  １６ａ  テ─プ状信号線、  １７  信号線、  ２０  鞍部、
２１  リード線、  ３１  鞘管、
【図１】
0004068272.tif 000002
【図２】
0004068272.tif 000003
【図３】
0004068272.tif 000004
【図４】
0004068272.tif 000005
【図５】
0004068272.tif 000006